(57)【要約】【課題】利用者の靴あるいは衣服の裾の下端などの異物が、ステップとコム、或いはコムとスカートガードなどの隙間に侵入する直前の初期段階において、異常発生を検出し、エスカレーターの自動運転を停止させるエスカレーター安全装置を提供する。【解決手段】ステップ４の片側に隣接するスカートガード５に設けられた投光素子８ａとステップ４の他側に設けられ、投光素子８ａの光電ビーム９を受光する受光素子８ｂとからなり、光電ビーム９が遮断されたときに動作信号を出力する光電装置８と、光電装置８の動作信号により、エスカレーターへの給電を遮断する遮断手段を有する安全装置１０を備えたエスカレーター安全装置において、光電装置８は、コム３の先端部付近におけるステップ４の上面部に光電ビーム９を照射する。【選択図】図２
2010163264.tif 000002
【特許請求の範囲】
【請求項１】
ステップの両側に隣接するスカートガードと、前記ステップの上面に形成されるクリート部に遊嵌する複数の溝を有するコムとを備えたエスカレーターの異常発生時に前記エスカレーターを停止させるエスカレーター安全装置であって、
前記ステップの片側に隣接するスカートガードに設けられた投光素子と前記ステップの他側に設けられ、前記投光素子の光電ビームを受光する受光素子とからなり、前記光電ビームが遮断されたときに動作信号を出力する光電装置と、
前記光電装置の動作信号により、前記エスカレーターへの給電を遮断する遮断手段を有する安全装置と、を備えたエスカレーター安全装置において、
前記光電装置は、前記コムの先端部付近における前記ステップの上面部に光電ビームを照射することを特徴とするエスカレーター安全装置。
【請求項２】
前記光電装置を複数個の投光素子と受光素子により構成するとともに、前記スカートガードに複数のビーム照射孔を形成し、前記複数のビーム照射孔から光電ビームを照射することを特徴とする請求項１に記載のエスカレーター安全装置。
【請求項３】
前記光電装置は、前記光電ビームが遮断されてから前記安全装置を動作させるまでの時間を任意に設定できるものであることを特徴とする請求項１または請求項２に記載のエスカレーター安全装置。
【発明の詳細な説明】
【技術分野】
【０００１】
この発明は、エスカレーター安全装置に関するものである。
【背景技術】
【０００２】
一般に、エスカレーターには、エスカレーターの上階側あるいは下階側の乗降位置付近に、利用者がステップとコム、或いはコムとスカートガードなどの隙間に、靴あるいは衣服の裾の下端などを挟まれるなどの異常が発生した際、その挟まれた異物を検出して自動運転中のエスカレーターを停止させる安全装置が設けられている。
【０００３】
その安全装置として、従来、図５に示すように、乗降板５０の下側に設けられるコム取付梁５１の先端とコム５２の下面との間に形成された隙間５３の両側に位置する部分に、発光素子５４と受光素子５５を対称的に配置し、コム５２の下面とステップ５６の上面との間に異物が侵入すると、この異物によって受光素子５５が動作してエスカレーターを停止させるものがある（例えば、特許文献１参照）。
【０００４】
【特許文献１】特開平９―２７７１号公報（段落００３１、図２）
【発明の開示】
【発明が解決しようとする課題】
【０００５】
前記特許文献１に開示されたエスカレーター安全装置は、発光素子５４と受光素子５５からなる光電装置により、コム５２の下面とステップ５６の上面との間に異物が侵入して光電ビームを遮った場合に、エスカレーターの自動運転を停止させるものである。従って、コム５２の下面に侵入した異物の検出には有効であるが、ステップ５６上の利用者が事故に遭遇していても検出することが出来ない課題がある。
【０００６】
この発明は、前記従来技術の課題を解決するためになされたもので、利用者の靴あるいは衣服の裾の下端などの異物が、ステップとコム、或いはコムとスカートガードなどの隙間に侵入する直前の初期段階において、異常発生を検出し、エスカレーターの自動運転を停止させるエスカレーター安全装置を提供するものである。
【課題を解決するための手段】
【０００７】
この発明に係るエスカレーター安全装置は、ステップの両側に隣接するスカートガードと、前記ステップの上面に形成されるクリート部に遊嵌する複数の溝を有するコムとを備えたエスカレーターの異常発生時に前記エスカレーターを停止させるエスカレーター安全装置であって、前記ステップの片側に隣接するスカートガードに設けられた投光素子と前記ステップの他側に設けられ、前記投光素子の光電ビームを受光する受光素子とからなり、前記光電ビームが遮断されたときに動作信号を出力する光電装置と、前記光電装置の動作信号により、前記エスカレーターへの給電を遮断する遮断手段を有する安全装置と、を備えたエスカレーター安全装置において、前記光電装置は、前記コムの先端部付近における前記ステップの上面部に光電ビームを照射するものである。
【発明の効果】
【０００８】
この発明によれば、利用者の靴などの異物が、ステップとコム、或いはコムとスカートガードなどの隙間に侵入する直前の初期段階において、異常発生を検出することができるので、早期の異常対策が可能となる。
【発明を実施するための最良の形態】
【０００９】
以下、添付の図面を参照して、この発明に係るエスカレーター安全装置について好適な実施の形態を説明する。なお、この実施の形態によりこの発明が限定されるものでない。
【００１０】
実施の形態１．
図１は、この発明の実施の形態１に係るエスカレーター安全装置を説明する図で、エスカレーターの上階側を示す縦断面図である。図１において、トラス（図示せず）の上階側の上部には、右端上面を上階側の床面１と同一面として乗降板２が横設されている。この乗降板２の下階側には、コム取付梁（図示せず）がトラスに固定されており、このコム取付梁にコム３が固定されている。なお、コム３は、乗降板２の下階側先端部に配置されて固定されている。
【００１１】
コム３とステップ４の両端には、トラスに固定されたスカートガード５が隣接して立設され、このスカートガード５の上部には、欄干６が対称的に立設されている。欄干６の外周には、ステップ４と同期して駆動される移動手摺７が設けられている。なお、ステップ４および移動手摺７は、図示しない誘導電動機や減速機などで構成される駆動源により駆動されるようになっている。
【００１２】
図２は、図１の部分拡大図で、乗降板２の下階側先端部に配置されたコム３とステップ４の付近を示す図である。図２において、コム３は、その先端部の下面に複数の溝が前後方向に連続して形成され、これらの溝の下部を、ステップ４の上面にくし状に突設されたクリート部を遊嵌させて組み立てられている。このコム３は、複数個が図２の表裏方向に並列配置されてコム取付梁にそれぞれ固定されており、ステップ４の移動時にステップ４のクリート部の上端面に塔乗した利用者の足を下側からすくい上げる機能を有している。なお、コム３は一般的に樹脂成形品で構成され、その中間部に薄肉部を形成することにより、利用者がコム３の先端部とステップ４のクリート部との間に挟まれたような場合に、容易に変形して利用者の怪我などを最小限にとどめるように構成されている。
【００１３】
また、実施の形態１に係るエスカレーター安全装置には、図２に示すように、コム３の先端部付近におけるステップ４の上面部に光電ビームを照射する光電装置８が設けられている。この光電装置８は、投光素子８ａとその光電ビームを受光する受光素子８ｂを一対として構成されており、左右のスカートガード５の内側に投光素子８ａと受光素子８ｂがそれぞれ取り付けられている。そして、スカートガード５に複数のビーム照射孔を形成し、複数個の投光素子８ａと受光素子８ｂにより、この複数のビーム照射孔からコム３の先端部付近におけるステップ４の上面部に複数の光電ビームを照射する、所謂、マルチビーム方式が採用されている。
【００１４】
図３および図４は、光電装置８の投光素子８ａと受光素子８ｂのスカートガード５への取り付け位置を説明する図で、図３は平面図、図４は正面図である。発明者の実験によれば、図３および図４に示すように、コム３の先端５０ｍｍ程度で、ステップ４の上面から３０ｍｍ程度の高さの位置を光電ビーム９が通過するように光電装置８の投光素子８ａと受光素子８ｂを取り付けるのが好適であった。
【００１５】
光電装置８には安全装置となる安全回路１０が接続されており、異物の検出により光電装置８が動作した場合、その動作信号が安全回路１０に出力されて、安全回路１０に組み込まれたエスカレーターへの給電を遮断する遮断手段、例えば、スイッチが動作することにより、エスカレーターへの給電を遮断するように構成されている。なお、光電装置８の動作開始時間、即ち、光電装置８の光電ビーム９が遮断されてから光電装置８が異常判定し、安全回路１０へその異常信号を出力するまでの時間は任意に設定できるように構成されている。
【００１６】
前記のように構成されたエスカレーター安全装置は、光電装置８の投光素子８ａから受光素子８ｂに照射された光束を、利用者の靴あるいは衣服の裾の下端などの異物によって、特定された時間、例えば５秒以上遮断された場合、光電装置８が異常と判定して安全回路１０に異常信号を出力する。この異常信号を受信して安全回路１０は組み込まれたスイッチをオフし、自動運転中のエスカレーターを停止させる。
【００１７】
なお、前記においては、エスカレーターの上階側に投光素子８ａとその光電ビーム９を受光する受光素子８ｂを一対とした光電装置８を設けた例について説明したが、同様装置をエスカレーターの下階側に設けてもよく、通常は、上階側と下階側の両者に設置される。
【００１８】
以上説明したように、実施の形態１に係るエスカレーター安全装置によれば、利用者の靴あるいは衣服の裾の下端などが、ステップとコム、或いはコムとスカートガードなどの隙間に侵入する直前の初期段階において、異常発生を検出してエスカレーターを停止させるので、早期の異常対策が可能となる。
【００１９】
また、光電装置８の投光素子８ａから受光素子８ｂへ複数の光電ビーム９を照射するようにしたので、異常検出の確度を向上させることができ、更に、光電ビーム９が遮断されてから光電装置８が異常判定するまでの動作時間を任意に設定できるようにしたので、エスカレーターの設置条件に応じて、異常判定までの動作時間を設定することができる。
【図面の簡単な説明】
【００２０】
【図１】この発明の実施の形態１に係るエスカレーター安全装置を説明する図である。
【図２】図１の部分拡大図である。
【図３】この発明の実施の形態１に係るエスカレーター安全装置における光電装置の取り付け位置を説明する平面図である。
【図４】この発明の実施の形態１に係るエスカレーター安全装置における光電装置の取り付け位置を説明する正面図である。
【図５】従来のエスカレーター安全装置を説明する図である。
【符号の説明】
【００２１】
１  床面
２、５０  乗降板
３、５２  コム
４、５６  ステップ
５  スカートガード
６  欄干
７  移動手摺
８  光電装置
８ａ  投光素子
８ｂ、５５  受光素子
９  光電ビーム
１０  安全装置
５１  コム取付梁
５３  隙間
５４  発光素子
【図１】
2010163264.tif 000003
【図２】
2010163264.tif 000004
【図３】
2010163264.tif 000005
【図４】
2010163264.tif 000006
【図５】
2010163264.tif 000007